(57)【要約】      （修正有）【課題】縛る作業を減らすことができ、前カバーの高さを調節することができるサイズ調節の可能なエプロンを提供する。【解決手段】前カバー１１０と、前カバー１１０の上端に装着されて首を取り囲む首紐１２０と、前カバー１１０の両側にそれぞれ備えられて腰を取り囲むように締結される腰紐１３０と、首紐１２０の中央に備えられ、腰紐１３０が貫通して配置される連結リング１４０とを含む。【選択図】図１
0003226285.tif 000002
【実用新案登録請求の範囲】
【請求項１】
前カバー（１１０）と、
前記前カバー（１１０）の上端に両端が装着されて首を取り囲む首紐（１２０）と、
前記前カバー（１１０）の両側にそれぞれ備えられて腰を取り囲むように締結される腰紐（１３０）と、
前記首紐（１２０）の中央に備えられ、前記腰紐（１３０）が挿入して連結される連結リング（１４０）とを含むことを特徴とするサイズ調節の可能なエプロン。
【請求項２】
前記連結リング（１４０）には前記腰紐（１３０）が貫通して挿入される掛け孔（１４１）が形成され、前記掛け孔（１４１）は少なくとも２個からなって前記首紐（１２０）の長手方向に配置されることを特徴とする、請求項１に記載のサイズ調節の可能なエプロン。
【請求項３】
前記連結リング（１４０）は前記首紐（１２０）から延びる掛け紐（１４２）からなり、
前記掛け紐（１４２）には前記掛け孔（１４１）が形成されるようにねじれた状態で結合された結合部（１４３）が形成されることを特徴とする、請求項２に記載のサイズ調節の可能なエプロン。
【請求項４】
前記首紐（１２０）の間に形成されて前記首紐（１２０）を幅方向に支持する支持紐（１２５）をさらに含むことを特徴とする、請求項３に記載のサイズ調節の可能なエプロン。
【請求項５】
前記連結リング（１４０）は前記首紐（１２０）から延びる掛け紐（１４２）からなり、
前記掛け紐（１４２）には前記掛け孔（１４１）が形成されるように前記掛け紐（１４２）を押圧固定させる結合具（２００）を備え、
前記結合具（２００）は、
前記掛け紐（１４２）に沿って移動可能に装着される胴体（２１０）と、
前記胴体（２１０）の内部に幅方向に移動可能に装着されて前記掛け紐（１４２）を押圧する押圧体（２２０）と、
前記押圧体（２２０）を前記掛け紐（１４２）の方向に弾性支持する弾性体（２３０）とを含んでなることを特徴とする、請求項２に記載のサイズ調節の可能なエプロン。
【考案の詳細な説明】
【技術分野】
【０００１】
本考案はサイズ調節の可能なエプロンに関するもので、特に腰紐と首紐の結合位置を変更して前カバーの位置を調節するサイズ調節の可能なエプロンに関するものである。
【背景技術】
【０００２】
一般に、エプロンは使用者の首の下側前面をカバーするように構成されるものであり、身体の前面をカバーするように構成された本体と、本体の上部を首に固定させるための首紐と、本体の中間部を身体の腰に固定させるための腰紐とからなる。
【０００３】
したがって、前記首紐を使用者の首にかけて固定させ、両側の腰紐を使用者の腰に巻いた後に互いに縛って固定することにより、本体が使用者の前面に着用され、飲食物、絵の具などで衣服が汚染されることを防止するものである。
【０００４】
しかし、従来のエプロンを着用するためには、首紐を縛る作業と腰紐を縛る作業をそれぞれ遂行しなければならないので、着用が煩わしいという欠点を有する。
【０００５】
もちろん、一対の首紐をいつも縛っておけば腰紐を縛る作業のみでエプロンを着用することができるが、このような場合、本体の着用高を調節することができないという問題点がある。
【０００６】
すなわち、本体の着用高を調節するためには首紐を解いてから再び縛らなければならないので、むしろ使用が不便になる問題点がある。
【０００７】
特に、前記エプロンが飲食店などの場所で使われる場合、すなわち不特定多数の使用者が使用する場合には、着用時ごとに首紐を解いてから再び縛らなければならないという不便さがあった。
【０００８】
例えば、背の高い人は首紐を長く縛ることで本体が自分の上体を全体的に遮ることができ、背の低い人は首紐を短く縛ることで本体が自分の上体を全体的に遮ることができるが、前述したように首紐の長さが固定されていれば汎用性が落ちるという欠点がある。
【先行技術文献】
【特許文献】
【０００９】
【特許文献１】韓国登録実用第２０−０４８６６２６号公報
【考案の概要】
【考案が解決しようとする課題】
【００１０】
本考案は前述した問題点を解決するためのものであり、前記首紐の中央に前記腰紐が挿入連結される連結リングを備えることで、前記腰紐を縛るときに前記首紐と連結されることにより、縛る作業を減らすことができ、前記連結リングと腰紐の連結位置によって前カバーの高さを調節することができるサイズ調節の可能なエプロンを提供することにその目的がある。
【課題を解決するための手段】
【００１１】
前記目的を達成するために、本考案のサイズ調節の可能なエプロンは、前カバーと、前記前カバーの上端に両端が装着されて首を取り囲む首紐と、前記前カバーの両側にそれぞれ備えられて腰を取り囲むように締結される腰紐と、前記首紐の中央に備えられ、前記腰紐が挿入して連結される連結リングとを含む。
【００１２】
前記連結リングには前記腰紐が貫通して挿入される掛け孔が形成され、前記掛け孔は少なくとも２個からなって前記首紐の長手方向に配置されることができる。
【００１３】
前記連結リングは前記首紐から延びる掛け紐からなり、前記掛け紐には前記掛け孔が形成されるようにねじれた状態で結合された結合部が形成されることができる。
【００１４】
前記首紐の間に形成されて前記首紐を幅方向に支持する支持紐をさらに含むことができる。
【００１５】
前記連結リングは前記首紐から延びる掛け紐からなり、前記掛け紐には前記掛け孔が形成されるように前記掛け紐を押圧固定させる結合具を備え、前記結合具は、前記掛け紐に沿って移動可能に装着される胴体と、前記胴体の内部に幅方向に移動可能に装着されて前記掛け紐を押圧する押圧体と、前記押圧体を前記掛け紐の方向に弾性支持する弾性体とを含んでなることができる。
【考案の効果】
【００１６】
以上で説明したような本考案のサイズ調節の可能なエプロンは次のような効果がある。
【００１７】
前記首紐の中央に前記腰紐が挿入連結される連結リングを備えることで、前記腰紐を縛るときに前記首紐と連結されることにより、縛る作業を減らすことができ、前記連結リングと腰紐の連結位置によって前カバーの高さを調節して多様な身体サイズに合わせて着用することができ、着心地を向上させる効果が発生する。
【００１８】
前記連結リングが前記首紐から延びる前記掛け紐からなることにより、前記首紐の縫製時に前記連結リングを一緒に製作することができるので、材料及び工賃を減らす効果を有する。
【００１９】
前記掛け紐と接触して前記胴体の上下に移動するときに回転する前記押圧体を備えるので、前記胴体が前記掛け紐に沿って移動するときに摩擦を減らして前記掛け紐の損傷を防止し、移動をスムーズにする効果が発生する。
【００２０】
前記押圧体が前記弾性体によって前記掛け紐を押圧するので、前記胴体が任意に上下に移動することを防止する効果を有する。
【００２１】
前記結合具は前記掛け紐に沿って移動可能に装着されるので、前記掛け孔に前記腰紐が挿入されたとき、前記掛け孔の大きさを減らして前記腰紐が動くことを最小化することができ、これにより前記前カバーの位置が変わることを防止する効果を有する。
【００２２】
前記掛け孔の位置を変えて前記前カバーを使用者の所望の位置に配置するように自由に調節することができる効果を有する。
【図面の簡単な説明】
【００２３】
【図１】本考案の実施例によるサイズ調節の可能なエプロンの斜視図である。
【図２】本考案の実施例によるサイズ調節の可能なエプロンの着用状態を示した平面図である。
【図３】本考案の実施例によるサイズ調節の可能なエプロンの連結リングを拡大して示す平面図である。
【図４】本考案の他の実施例によるサイズ調節の可能なエプロンの連結リングを拡大して示す平面図である。
【図５】本考案の他の実施例によるサイズ調節の可能なエプロンの連結リングの作動過程を説明するための平面図である。
【図６】本考案の他の実施例によるサイズ調節の可能なエプロンの結合具の断面構造図である。
【考案を実施するための形態】
【００２４】
図１は本考案の実施例によるサイズ調節の可能なエプロンの斜視図、図２は本考案の実施例によるサイズ調節の可能なエプロンの着用状態を示した平面図、図３は本考案の実施例によるサイズ調節の可能なエプロンの連結リング１４０を拡大して示す平面図、図４は本考案の他の実施例によるサイズ調節の可能なエプロンの連結リング１４０を拡大して示す平面図、図５は本考案の他の実施例によるサイズ調節の可能なエプロンの結合具２００の作動過程を説明するための平面図、図６は本考案の他の実施例によるサイズ調節の可能なエプロンの結合具２００の断面構造図である。
【００２５】
図１〜図３に示したように、本考案の実施例によるサイズ調節の可能なエプロンは、前カバー１１０、首紐１２０、支持紐１２５、腰紐１３０及び連結リング１４０からなる。
【００２６】
前記前カバー１１０は布地又は合成纎維材からなり、着用者の胸から太ももまで遮ることができるように上下方向に長く形成され、下端が上端より広く形成されて腰の側部まで取り囲むことができるように形成される。
【００２７】
このような前記前カバー１１０の上端には前記首紐１２０が装着される。
【００２８】
前記首紐１２０は幅が１〜２ｃｍ程度の長い紐からなり、前記前カバー１１０と同一の素材からなる。
【００２９】
このような前記首紐１２０は、両端が前記前カバー１１０の上端左右に離隔して配置されて結合される。
【００３０】
前記支持紐１２５は前記首紐１２０の間に形成されて前記首紐１２０を幅方向に支持する。
【００３１】
前記支持紐１２５は左右に幅方向に長く形成され、外被は前記首紐１２０と同一の素材からなり、内部に補強部材が挿入配置される。
【００３２】
前記補強部材は合成樹脂の薄板素材からなるので、なかなか折られないか曲がらない。
【００３３】
このような前記支持紐１２５は、前記首紐１２０が前記腰紐１３０と連結されたとき、張力によって前記首紐１２０の両端間の間隔が一定間隔以上に大きくなるか又は狭くならないように支持する。
【００３４】
前記腰紐１３０は前記首紐１２０と同一の素材及び幅を有する長い紐からなり、２本からなり、一端が前記前カバー１１０の両側にそれぞれ配置されて結合される。
【００３５】
このような前記腰紐１３０は着用時に着用者の腰を取り囲み、他端は互いに縛られて固定される。
【００３６】
ここで、前記腰紐１３０は後述する前記連結リング１４０に貫通挿入されて前記首紐１２０と連結されることにより、前記前カバー１１０の上下位置を調節することになる。
【００３７】
前記連結リング１４０は前記首紐１２０の中央に備えられ、前記腰紐１３０が貫通配置される多数の掛け孔１４１を有する。
【００３８】
より具体的に、前記連結リング１４０は前記首紐１２０から延びる掛け紐１４２からなり、前記掛け紐１４２には前記掛け孔１４１が形成されるように拗じれた状態で結合された結合部１４３が形成される。
【００３９】
前記結合部１４３は３個からなり、前記首紐１２０の長手方向、すなわち上下方向に一定間隔で離隔して配置される。
【００４０】
また、前記結合部１４３の下部にはそれぞれ前記掛け孔１４１が形成される。
【００４１】
前記掛け孔１４１には前記腰紐１３０が貫通して配置される。前記腰紐１３０が上端に配置された前記掛け孔１４１に挿入されれば前記前カバー１１０の位置が高くなり、前記腰紐１３０が下端に配置された前記掛け孔１４１に挿入されれば前記前カバー１１０の位置は低くなる。
【００４２】
このように、前記首紐１２０に前記首紐１２０と前記腰紐１３０を連結する前記連結リング１４０が備えられることにより、前記前カバー１１０の高さを調節して多様な身体サイズに合わせて着用することができ、着心地を向上させる効果を発生させる。
【００４３】
また、前記連結リング１４０が前記首紐１２０から延びる前記掛け紐１４２からなることにより、前記首紐１２０の縫製の際、前記連結リング１４０を一緒に製作することができるので、材料及び工賃を減らす効果を有する。
【００４４】
一方、場合によって、前記連結リング１４０には、前記結合部１４３の代わりに、別途の結合具２００が装着されて前記掛け孔１４１を形成するようにすることもできる。
【００４５】
図４〜図６に示したように、前記結合具２００は前記連結リング１４０に装着されて前記掛け孔１４１を形成するものであり、前記連結リング１４０に沿って長手方向に移動可能に装着される。
【００４６】
ここで、前記連結リング１４０は前記首紐１２０から延びる掛け紐１４２からなり、前記結合具２００は前記掛け紐１４２に装着される。
【００４７】
前記結合具２００は、胴体２１０、押圧体２２０及び弾性体２３０からなる。
【００４８】
前記胴体２１０は球形に形成され、前記掛け紐１４２が挿入される挿入孔２１１が形成される。
【００４９】
前記挿入孔２１１は上下に貫設され、直径は前記掛け紐１４２の幅よりちょっと小さく形成されることが好ましい。
【００５０】
また、前記挿入孔２１１の両側には前記押圧体２２０が挿入配置されるガイド孔２１２が形成される。
【００５１】
前記押圧体２２０は前記ガイド孔２１２に挿入されて幅方向に移動可能に装着され、前記挿入孔２１１に挿入された前記掛け紐１４２を押圧することになる。
【００５２】
また、前記押圧体２２０は円形に形成され、２個からなって回転可能に装着される。
【００５３】
このような前記押圧体２２０は前記挿入孔２１１に挿入された前記掛け紐１４２と接触し、前記胴体２１０が前記掛け紐１４２に沿って上下に移動するときに回転する。
【００５４】
前記弾性体２３０は圧縮コイルスプリングからなり、前記ガイド孔２１２に挿入されて前記押圧体２２０を前記挿入孔２１１の方向に弾性支持する。
【００５５】
したがって、前記押圧体２２０は前記弾性体２３０の弾性力によって一定の力で前記掛け紐１４２を押圧することになり、前記胴体２１０が任意に上下に移動しないように前記掛け紐１４２に密着して固定される。
【００５６】
このように、前記掛け紐１４２と接触して前記胴体２１０の上下移動時に回転する前記押圧体２２０を備えることにより、前記胴体２１０が前記掛け紐１４２に沿って移動するときに摩擦を減らして前記掛け紐１４２の損傷を防止し、移動をスムーズにする効果が発生する。
【００５７】
また、前記押圧体２２０が前記弾性体２３０によって前記掛け紐１４２を押圧することにより、前記胴体２１０が任意に上下に移動することを防止する効果を有する。
【００５８】
また、前記結合具２００は３個からなって前記掛け紐１４２に沿って上下に離隔して配置され、前記結合具２００の下部に前記掛け孔１４１が形成される。
【００５９】
ここで、前記結合具２００間の間隔が小さくなれば、前記掛け孔１４１の大きさは小さくなり、前記結合具２００間の間隔が大きくなれば、前記掛け孔１４１の大きさは大きくなる。
【００６０】
また、前記結合具２００が前記掛け紐１４２に沿って移動することにより、前記掛け孔１４１の位置が変わる。
【００６１】
このように、前記結合具２００は前記掛け紐１４２に沿って移動可能に装着されることにより、前記掛け孔１４１に前記腰紐１３０が挿入されたとき、前記掛け孔１４１の大きさを減らして前記腰紐１３０が動くことを最小化することができ、これにより前記前カバー１１０の位置が変わることを防止する効果を有する。
【００６２】
また、前記掛け孔１４１の位置を変えて前記前カバー１１０を使用者の所望の位置に配置するように自由に調節することができる効果を有する。
【００６３】
本考案は前記説明に限定されず、以下の請求範囲の思想及び領域を離脱しない範疇内で当業者によってさまざまな形態に変形実施されることができる。したがって、このような変形は本考案の領域内にあるものに解釈されなければならない。
【符号の説明】
【００６４】
１１０    前カバー
１２０    首紐
１２５    支持紐
１３０    腰紐
１４０    連結リング
１４１    掛け孔
１４２    掛け紐
１４３    結合部
２００    結合具
２１０    胴体
２１１    挿入孔
２１２    ガイド孔
２２０    押圧体
２３０    弾性体
【図１】
0003226285.tif 000003
【図２】
0003226285.tif 000004
【図３】
0003226285.tif 000005
【図４】
0003226285.tif 000006
【図５】
0003226285.tif 000007
【図６】
0003226285.tif 000008